(57)【特許請求の範囲】
【請求項１】
撮像素子を含む撮像部を備えるとともに、メモリモジュールを着脱自在に装填可能なスロットを具備し、前記メモリモジュールに画像データを記録可能な電子カメラに対して、前記スロットを介して直接接続可能に構成され、直接接続された状態で、前記電子カメラに対するリモート制御を有効状態にするためのデータを前記電子カメラから受信することを特徴とする画像処理装置。
【請求項２】
画像を記録可能なメモリモジュールを着脱自在に装填可能なスロットを具備し、前記電子カメラのスロットと前記画像処理装置のスロットとを直接接続可能としたことを特徴とする請求項１に記載の画像処理装置。
【請求項３】
撮像素子を含む撮像部を備えるとともに、メモリモジュールを着脱自在に装填可能なスロットを具備し、前記メモリモジュールに画像データを記録可能な電子カメラにおいて、前記スロットを介して画像を処理可能な画像処理装置と直接接続可能に構成され、直接接続された状態で、前記電子カメラに対するリモート制御を有効状態にするためのデータを前記画像処理装置に送信することを特徴とする電子カメラ。
【請求項４】
前記画像処理装置は画像を記録可能なメモリモジュールを着脱自在に装填可能なスロットを具備し、前記画像処理装置のスロットと前記電子カメラのスロットとを直接接続可能としたことを特徴とする請求項３に記載の電子カメラ。
【発明の詳細な説明】
【０００１】
【産業上の利用分野】
本発明は、電子カメラと画像処理装置とからシステム構成され、ＩＣメモリカード等のメモリモジュールを使用する画像処理装置、及び電子カメラに関する。
【０００２】
【従来の技術】
画像データの記録メディアとしてＩＣメモリカード等の外部メモリモジュールを使用する装置として、図２のデジタルスチルビデオカメラや、図３の画像処理装置などが考えられている。
【０００３】
図２のデジタルスチルビデオカメラにおいては、システムコントローラ１によるタイミング回路2を介しての支配の下、ＣＣＤ等の撮像素子3により得られる画像信号は、プリプロセス回路4を経た後、各画素に対応して、Ａ／Ｄ変換器5によりＡ／Ｄ変換され、インターフェイスロジック回路6を介して、ＩＣメモリカードスロット7に着脱自在に装着されたＩＣメモリカード10にデジタル画像データとして書込まれる。これにより記録がなされる。
【０００４】
また、ＩＣメモリカード10に書込まれたデータは、ＩＣメモリカードスロット7，インターフェイスロジック回路6を介して読出され、Ｄ／Ａ変換器8によりＤ／Ａ変換され、ポストプロセス回路9を経て、映像信号として出力される。これにより再生可能である。
【０００５】
図３の画像処理装置においては、ＩＣメモリカード10を使用して、画像データのデータ処理を行う。
【０００６】
この画像処理装置は、ＩＣメモリカード10が挿入されるＩＣメモリカードスロット11を少なくとも１つ有し、インターフェイスロジック回路12を介して、ＩＣメモリカード10からデータを読出したり、ＩＣメモリカード10にデータを書込んだりすることができる。
【０００７】
また、ＣＰＵ，プログラマブルＲＯＭなどをも含むシステムコントローラ13と、メインメモリ14と、キーボード，ＣＲＴ，磁気ディスク，他の機器との通信機能などに代表される入出力回路15〜19とを持つ。
【０００８】
【発明が解決しようとする課題】
ところで、図２のカメラと図３の画像処理装置とのシステム構成において、画像処理装置はカメラと比較して大型のものになりやすいため、画像データ入力装置であるカメラは、システムとして独立させてある。
【０００９】
しかしながら、このようなシステム構成にすると、カメラの持ち運びは簡便になり、画像処理装置は常にカメラのそばにある必要がない反面、カメラと画像処理装置との間の画像データの受け渡しは、必ずＩＣメモリカードを介して行わざるを得ないため、カメラでの撮影から、実際に画像処理を行うまでには、いくらかの時間を要する。
【００１０】
本発明は、このような実情に鑑み、カメラと画像処理装置とを各々独立して動かせることを前提に、カメラと画像処理装置とをそばにおいておくだけのスペースは確保されている代わりに、画像データの受け渡しには時間をかけたくないという用途にも有効な画像処理装置、及び電子カメラを提供することを目的とする。
【００１１】
【課題を解決するための手段】
本発明の画像処理装置は、撮像素子を含む撮像部を備えるとともに、メモリモジュールを着脱自在に装填可能なスロットを具備し、前記メモリモジュールに画像データを記録可能な電子カメラに対して、前記スロットを介して直接接続可能に構成され、直接接続された状態で、前記電子カメラに対するリモート制御を有効状態にするためのデータを前記電子カメラから受信することを特徴とする。
【００１２】
また、本発明の電子カメラは、撮像素子を含む撮像部を備えるとともに、メモリモジュールを着脱自在に装填可能なスロットを具備し、前記メモリモジュールに画像データを記録可能な電子カメラにおいて、前記スロットを介して画像を処理可能な画像処理装置と直接接続可能に構成され、直接接続された状態で、前記電子カメラに対するリモート制御を有効状態にするためのデータを前記画像処理装置に送信することを特徴とする。
【００１５】
【作用】
電子カメラ及び画像処理装置は、通常は、各々内部のコントローラの制御を受けて、独立に動作するが、メモリモジュールを装填するスロットを介して電子カメラと画像処理装置とを直接接続することにより、電子カメラと画像処理装置とが電気的に接続され、電子カメラから画像処理装置にリモート操作を有効にするためのデータを送信するとともに、画像処理装置から電子カメラにリモート操作するための制御用データを送信することが可能となる。
【００１６】
更に、電子カメラで撮影した画像データをＩＣメモリカード等の外部メモリモジュールを介することなく画像処理装置に取込むことが可能になる他、画像処理装置で加工した画像を外部メモリモジュールを介することなくカメラで再生すること等も可能になる。
【００１７】
【実施例】
以下に本発明の実施例を図１に基づいて説明する。尚、本実施例は、図２のカメラと図３の画像処理装置とからなるシステムにおいて、本発明を採用したものである。
【００１８】
カメラの内部、及び、画像処理装置の内部には、システムコントローラ1，13を独立して持ち、通常は、各々の動作を制御しているが、カメラのＩＣメモリカードスロット7と画像処理装置のＩＣメモリカードスロット11とを直接接続することにより、カメラと画像処理装置との間で、直接的なデータの受け渡しを可能にすると共に、画像処理装置のシステムコントローラ13を外部コントロール手段として、これにより、カメラの動作を制御可能にする。
【００１９】
ここで、カメラのＩＣメモリカードスロット7と画像処理装置のＩＣメモリカードスロット11との接続は、専用の接続ケーブル20により行い、これによりデータの受け渡しを可能にする。
【００２０】
また、カメラのＩＣメモリカードスロット7と画像処理装置のＩＣメモリカードスロット11との各一部のピンコネクタに、外部コントロール用のリモート（ＲＥＭＯＴＥ）という信号を割付けて、リモート端子とし、この信号によりカメラを外部コントロール可能にする。
【００２１】
リモート信号は、画像処理装置のシステムコントローラ13及びカメラのシステムコントローラ1より、各々のインターフェイスロジック回路12，6に対して、ある一定の操作を行うと、有効になる。
【００２２】
リモート信号を有効にする操作方法・判別方法の例としては、次の(1)〜(3)のようなものが上げられる。
【００２３】
(1)  画像処理装置のコマンドとしてリモートを選択すると、リモート有効状態にする。
【００２４】
(2)  カメラ側より特定のデータを送ると、画像処理装置のシステムコントローラでデータを判別して、リモート有効状態にする。又は、その逆も可能である。
【００２５】
(3)  リモート端子をＩＣメモリカードとしては使用していない端子に割付けて、図４のように回路構成し、接続を検出してリモート有効状態にする。
【００２６】
図４の例では、
ｉ）リモート端子が接続されている時
Ｏｃ＝Ｌow，Ｏｐ＝Highの時、Ｂｃ＝Ｌow
Ｏｃ＝High，Ｏｐ＝Ｌowの時、Ｂｐ＝Ｌow
ｉｉ）リモート端子が接続されていない時
Ｏｃ＝Ｌowの時、Ｂｃ＝High
Ｏｐ＝Ｌowの時、Ｂｐ＝High
となる。
【００２７】
従って、立上げ時にＯｃ（又はＯｐ）＝Ｌowを一定時間保っておき、その間にＯｐ（又はＯｃ）＝Highとし、このとき、Ｂｃ（又はＢｐ）＝Ｌowを検出すれば、リモート有効状態とする。
【００２８】
カメラがリモート有効状態に設定された場合、カメラのレリーズの代わりに、画像処理装置のシステムコントローラ13より、データラインを介してコマンドデータを送り、カメラのシステムコントローラ1が、送られてきたデータを解釈して、撮影などの動作を行う。
【００２９】
尚、専用の端子を設けることなく、ＩＣメモリカードスロット間のデータバス上でシリアル通信により外部コントロール信号を供給してもよい。
【００３０】
また、図５に示すように、カメラ内部に画像メモリ22を持つカメラの場合、ＩＣメモリカードに記録するときは、データの転送速度をＩＣメモリカードのアクセスタイムに合わせ、リモートモードでデータを直接画像処理装置に転送するときは、画像処理装置のアクセスタイムに合わせるように、データの転送速度を切換えるとよい。
【００３１】
【発明の効果】
以上説明したように本発明によれば、画像処理装置を切離すと、単独で電子カメラとして使用できる一方、直接接続して、電子カメラを画像処理装置の入力端末に使用するシステムができるという効果が得られる。また、電子カメラと画像処理装置との直接接続は、電子カメラ側のメモリモジュール装填用のスロットや画像処理装置側のメモリモジュール装着用のスロットを利用して行うので、電子カメラや画像処理装置に特別な信号送受信用の手段を設ける必要がないという効果も得られる。更に、電子カメラと画像処理装置との間のリモート制御等に用いるデータの送受信も、メモリモジュール装填用のスロットを利用するため、電子カメラ側に特別な制御データ信号受信用の手段を設ける必要がない。
【図面の簡単な説明】
【図１】本発明の一実施例としてデジタルスチルビデオカメラと画像処理装置との接続状態を示す図
【図２】デジタルスチルビデオカメラのブロック図
【図３】画像処理装置のブロック図
【図４】リモート端子の接続例を示す図
【図５】他の実施例を示すデジタルスチルビデオカメラのブロック図
【符号の説明】
1・・・システムコントローラ
3・・・撮像素子
5・・・Ａ／Ｄ変換器
6・・・インターフェイスロジック回路
7・・・ＩＣメモリカードスロット
10・・・ＩＣメモリカード
11・・・ＩＣメモリカードスロット
12・・・インターフェイスロジック回路
13・・・システムコントローラ
20・・・接続ケーブル
【図１】
0003635405.tif 000002
【図２】
0003635405.tif 000003
【図３】
0003635405.tif 000004
【図４】
0003635405.tif 000005
【図５】
0003635405.tif 000006